(57)【特許請求の範囲】
【請求項１】
壁の厚さ方向に貫通して形成された開口部内に配置されるとともに、この開口部の内周面に固定される収納棚であって、
前記開口部の内周面のうち、該開口部の左右方向の両側端部に位置する両側面間に架設されるとともに、前記壁の一側面よりも前方に突出する少なくとも上下二枚の棚板と、
これら棚板の突出方向側面に設けられるとともに、これら棚板の長さ方向に沿ってスライド可能な扉とを備えており、
前記上下二枚の棚板のうち上段の棚板は、前記開口部の内周面の天面から下方に離間して配置され、下段の棚板は、前記開口部の内周面の底面から上方に離間して配置されており、
前記上段の棚板と前記下段の棚板には、これら上段および下段の棚板の長さ方向に沿ってそれぞれレール材が取り付けられており、
前記扉は、この扉の上端部の裏面に取り付けられるとともに前記上段の棚板のレール材に係合する上段係合部材と、この扉の下端部の裏面に取り付けられるとともに前記下段の棚板のレール材に係合する下段係合部材とを備えていることを特徴とする収納棚。
【請求項２】
請求項１に記載の収納棚において、
前記扉の前面に鏡が配置されていることを特徴とする収納棚。
【請求項３】
請求項２に記載の収納棚において、
前記鏡はハーフミラーであることを特徴とする収納棚。
【請求項４】
請求項１〜３のいずれか一項に記載の収納棚において、
前記上段の棚板と下段の棚板との間に設けられる少なくとも二枚の側板と、これら上段の棚板と下段の棚板と二枚の側板の前記扉側とは反対側の端部に設けられる背板とを備えていることを特徴とする収納棚。
【請求項５】
請求項１〜３のいずれか一項に記載の収納棚において、
前記上段の棚板の前記扉側とは反対側の端部と、前記下段の棚板の前記扉側とは反対側の端部との間に設けられる背板を備えており、
前記上段の棚板の上面と下段の棚板の下面の長さ方向に沿ってそれぞれレール材が取り付けられており、
前記背板は、前記上段の棚板と下段の棚板のレール材に沿ってスライド可能に設けられていることを特徴とする収納棚。
【請求項６】
請求項１〜５のいずれか一項に記載の収納棚において、
前記少なくとも上下二枚の棚板の突出方向側面とは反対の側面から扉の前面までの長さのうち、少なくとも半分の長さに該当する部分が、前記開口部の内周面の両側面に固定されていることを特徴とする収納棚。
【請求項７】
請求項１〜６のいずれか一項に記載の収納棚を、壁の厚さ方向に貫通して形成された開口部内に配置するとともに、この開口部の内周面に固定してなる壁構造であって、
前記開口部は、上端部が前記上段の棚板よりも上方に位置し、下端部が前記下段の棚板よりも下方に位置するように形成されていることを特徴とする壁構造。
【請求項８】
請求項７に記載の壁構造において、
前記開口部の内周面のうち、前記壁の一側面側に前記収納棚が固定されており、前記壁の他側面側に、透光性部材を有する建具が設けられていることを特徴とする壁構造。
【発明の詳細な説明】
【技術分野】
【０００１】
本発明は、壁の厚さ方向に貫通して形成された開口部内に配置固定される収納棚と、この収納棚を開口部内に配置固定してなる壁構造に関する。
【背景技術】
【０００２】
特許文献１に記載の洗面化粧台や、特許文献２に記載の吊戸棚等の家具は壁面に固定されるとともに、窓を避けて配置されている。
このように窓を避けて家具を配置することによって窓からの採光を遮るのを防ぐことができるので、洗面所やキッチンの採光性を向上させることが可能となる。
【先行技術文献】
【特許文献】
【０００３】
【特許文献１】特開２００２−０１０９３６号公報
【特許文献２】特開平１１−１９６９５２号公報
【発明の概要】
【発明が解決しようとする課題】
【０００４】
ところが、例えば、このように壁面に窓を設けるとともに家具を固定したうえで、新たに別の家具を壁際に設置しようとすると、壁面に設けられた窓と壁面に固定された家具を避けて配置しなければならず、室内スペースの有効利用という点から課題があった。
【０００５】
本発明の課題は、採光性の低下を極力防ぐことができるとともに、室内スペースの有効利用が可能な収納棚および壁構造を提供することを目的とする。
【課題を解決するための手段】
【０００６】
請求項１に記載の発明は、例えば図１〜図５に示すように、壁５の厚さ方向に貫通して形成された開口部６内に配置されるとともに、この開口部６の内周面７に固定される収納棚１０であって、
前記開口部６の内周面７のうち、該開口部６の左右方向の両側端部に位置する両側面７ｃ，７ｃ間に架設されるとともに、前記壁５の一側面５ｂよりも前方に突出する少なくとも上下二枚の棚板１１，１２と、
これら棚板１１，１２の突出方向側面に設けられるとともに、これら棚板１１，１２の長さ方向に沿ってスライド可能な扉１６とを備えており、
前記上下二枚の棚板１１，１２のうち上段の棚板１１は、前記開口部６の内周面７の天面７ａから下方に離間して配置され、下段の棚板１２は、前記開口部６の内周面７の底面７ｂから上方に離間して配置されており、
前記上段の棚板１１と前記下段の棚板１２には、これら上段および下段の棚板１１，１２の長さ方向に沿ってそれぞれレール材１７，１８が取り付けられており、
前記扉１６は、この扉１６の上端部の裏面に取り付けられるとともに前記上段の棚板１１のレール材１７に係合する上段係合部材１９と、この扉１６の下端部の裏面に取り付けられるとともに前記下段の棚板１２のレール材１８に係合する下段係合部材２０とを備えていることを特徴とする。
【０００７】
請求項１に記載の発明によれば、前記少なくとも上下二枚の棚板１１，１２と、前記棚板１１，１２の長さ方向に沿ってスライド可能な扉１６とを備える収納棚１０を、前記開口部６内に配置固定することによって、この収納棚１０と開口部６とを壁５の同じ場所に設けることができるので、これら収納棚１０および開口部６が設けられる室内スペースを有効利用できる。また、前記少なくとも上下二枚の棚板１１，１２間から採光を確保できるとともに、前記扉１６をスライドさせることによって採光をコントロールできる。これによって、収納棚１０および開口部６が設けられる室内スペースの採光性の低下を極力防ぐことができる。
また、前記扉１６は、この扉１６の上端部の裏面に取り付けられるとともに前記上段の棚板１１のレール材１７に係合する上段係合部材１９と、この扉１６の上端部の裏面に取り付けられるとともに前記下段の棚板１２のレール材１８に係合する下段係合部材２０とを備えているので、前記上段係合部材１９を前記レール材１７に係合させるとともに、前記下段係合部材２０を前記レール材１８に係合させることによって、前記扉１６を、前記上下二枚の棚板１１，１２に対して確実に取り付けることができるとともに、前記レール材１７，１８に沿って確実にスライドさせることができる。これによって、前記扉１６によって採光をコントロールできるので、収納棚１０および開口部６が設けられる室内スペースの採光性の低下を極力防ぐことができる。
【０００８】
請求項２に記載の発明は、例えば図１〜図５に示すように、請求項１に記載の収納棚１０において、前記扉１６の前面に鏡１６ａが配置されていることを特徴とする。
【０００９】
請求項２に記載の発明によれば、前記扉１６の前面に鏡１６ａが配置されているので、収納棚１０を化粧台として利用できる。このように化粧台として利用した場合に、前記少なくとも上下二枚の棚板１１，１２間からの採光によって化粧台の前に立つ人を照らすことができる。
【００１０】
請求項３に記載の発明は、例えば図１，図４および図５に示すように、請求項２に記載の収納棚１０において、前記鏡１６ａはハーフミラーであることを特徴とする。
【００１１】
請求項３に記載の発明によれば、前記鏡１６ａはハーフミラーであることから、収納棚１０および開口部６が設けられる室内よりも屋外の方が明るい場合に、屋外からの入射光を室内に採光できるとともに、収納棚１０および開口部６が設けられる室内よりも屋外の方が暗い場合に、鏡として利用することができる。これによって、扉１６に遮られずに採光できるので、収納棚１０および開口部６が設けられる室内スペースの採光性の低下を極力防ぐことができる。
【００１４】
請求項４に記載の発明は、例えば図１〜図４に示すように、請求項１〜３のいずれか一項に記載の収納棚１０において、
前記上段の棚板１１と下段の棚板１２との間に設けられる少なくとも二枚の側板１４，１４と、これら上段の棚板１１と下段の棚板１２と二枚の側板１４，１４の前記扉１６側とは反対側の端部に設けられる背板１５とを備えていることを特徴とする。
【００１５】
請求項４に記載の発明によれば、前記上段の棚板１１と下段の棚板１２との間に設けられる少なくとも二枚の側板１４，１４と、これら上段の棚板１１と下段の棚板１２と二枚の側板１４，１４の前記扉１６側とは反対側の端部に設けられる背板１５とを備えているので、これら上段の棚板１１と下段の棚板１２と二枚の側板１４，１４と背板１５とによって、前記棚板１１，１２の突出方向側に開口するボックス状の収納スペースを形成することができる。これによって、このボックス状の収納スペースに収納した物品が、棚板１１，１２の前記扉１６側端部以外から落下することを確実に防ぐことができるとともに、収納棚１０の外観に変化を持たせたり、前記棚板１１，１２への物品の収納の仕方にバリエーションを持たせたりすることができる。
【００１６】
請求項５に記載の発明は、例えば図１および図５に示すように、請求項１〜３のいずれか一項に記載の収納棚１０において、
前記上段の棚板１１の前記扉１６側とは反対側の端部と、前記下段の棚板１２の前記扉１６側とは反対側の端部との間に設けられる背板１５を備えており、
前記上段の棚板１１の上面と下段の棚板１２の下面の長さ方向に沿ってそれぞれレール材２１，２２が取り付けられており、
前記背板１５は、前記上段の棚板１１と下段の棚板１２のレール材２１，２２に沿ってスライド可能に設けられていることを特徴とする。
【００１７】
請求項５に記載の発明によれば、前記上段の棚板１１の前記扉１６側とは反対側の端部と、前記下段の棚板１２の前記扉１６側とは反対側の端部との間に設けられる背板１５を備えており、この背板１５が、前記上段の棚板１１と下段の棚板１２のレール材２１，２２に沿ってスライド可能に設けられているので、この背板１５をスライドさせることによって、屋外からの採光をコントロールできる。これによって、収納棚１０および開口部６が設けられる室内スペースの採光性の低下を極力防ぐことができる。
【００１８】
請求項６に記載の発明は、例えば図１，図４および図５に示すように、請求項１〜５のいずれか一項に記載の収納棚１０において、
前記少なくとも上下二枚の棚板１１，１２の突出方向側面とは反対の側面から扉１６の前面までの長さのうち、少なくとも半分の長さに該当する部分が、前記開口部６の内周面７の両側面７ｃ，７ｃに固定されていることを特徴とする。
【００１９】
請求項６に記載の発明によれば、前記少なくとも上下二枚の棚板１１，１２の突出方向側面とは反対の側面から扉１６の前面までの長さのうち、少なくとも半分の長さに該当する部分が、前記開口部６の内周面７の両側面７ｃ，７ｃに固定されているので、前記少なくとも上下二枚の棚板１１，１２を前記開口部６の内周面７に確実かつ強固に固定することができる。
【００２０】
請求項７に記載の発明は、例えば図１〜図５に示すように、請求項１〜６のいずれか一項に記載の収納棚１０を、壁５の厚さ方向に貫通して形成された開口部６内に配置するとともに、この開口部６の内周面７に固定してなる壁構造であって、
前記開口部６は、上端部が前記上段の棚板１１よりも上方に位置し、下端部が前記下段の棚板１２よりも下方に位置するように形成されていることを特徴とする。
【００２１】
請求項７に記載の発明によれば、前記開口部６は、上端部が前記上段の棚板１１よりも上方に位置し、下端部が前記下段の棚板１２よりも下方に位置するように形成されているので、前記上段の棚板１１の上方と、前記下段の棚板１２の下方から採光を確保することができる。これによって、収納棚１０および開口部６が設けられる室内スペースの採光性の低下を極力防ぐことができる。
【００２２】
請求項８に記載の発明は、例えば図２〜図５に示すように、請求項７に記載の壁構造において、
前記開口部６の内周面７のうち、前記壁５の一側面５ｂ側に前記収納棚１０が固定されており、前記壁５の他側面５ｃ側に、透光性部材８ａを有する建具８が設けられていることを特徴とする。
【００２３】
請求項８に記載の発明によれば、前記開口部６の内周面７のうち、前記壁５の一側面５ｂ側に前記収納棚１０が固定されており、前記壁５の他側面５ｃ側に、透光性部材８ａを有する建具８が設けられているので、この透光性部材８ａを有する建具８を介して採光を確保できるだけでなく、この透光性部材８ａを有する建具８によって通風を遮ったり、通風をコントロールしたりすることができる。これによって、収納棚１０および開口部６が設けられる室内スペースの採光性の低下を極力防ぐことができるとともに、この室内スペースの通風性を向上させることができる。
【発明の効果】
【００２４】
本発明によれば、少なくとも上下二枚の棚板と、これら棚板の長さ方向に沿ってスライド可能な扉とを備える収納棚を、壁に形成された開口部内に配置固定することによって、この収納棚と開口部とを壁の同じ場所に設けることができるので、これら収納棚および開口部が設けられる室内スペースを有効利用できる。また、少なくとも上下二枚の棚板間から採光を確保できるとともに、扉をスライドさせることによって採光をコントロールできる。これによって、収納棚および開口部が設けられる室内スペースの採光性の低下を極力防ぐことができる。
【図面の簡単な説明】
【００２５】
【図１】本発明に係る収納棚の一例を示す斜視図である。
【図２】本発明に係り、開口部に図１に示す収納棚を配置固定してなる壁構造の一例を示す正面図である。
【図３】図２に示す壁構造が設けられる洗面脱衣室の一例を示す平面図である。
【図４】図２に示す壁構造と、その主要部である収納棚とを示す側断面図である。
【図５】図２に示す壁構造と、その主要部である収納棚の他の実施例を示す側断面図である。
【発明を実施するための形態】
【００２６】
以下、図面を参照して本発明の実施の形態について説明する。
図１は本発明に係る収納棚の一例を示す斜視図である。また、図２は、本発明に係り、開口部に図１に示す収納棚を配置固定してなる壁構造の一例を示す正面図である。また、図３は、図２に示す壁構造が設けられる洗面脱衣室の一例を示す平面図である。
図３において符号１は、洗面脱衣室を示す。この洗面脱衣室１は、浴室２および洗濯機置き場３に隣接し、建物内に配設されている。また、この洗面脱衣室１の屋外側にはバルコニー４が配設されている。
そして、このバルコニー４と洗面脱衣室１との間には壁５が設けられている。すなわち、この壁５の一側面側に前記洗面脱衣室１が配置されており、他側面側に前記バルコニー４が配置されている。
また、前記洗面脱衣室１内には、前記壁５際に洗面台１ａが配置されており、前記浴室２の近傍にベンチ１ｄおよびカウンター１ｅが配置されている。前記洗面台１ａは、洗面ボール１ｂと蛇口１ｃとを備えている。
【００２７】
前記壁５には、この壁５の厚さ方向に貫通して複数の開口部６，９が形成されている。
前記開口部６は、窓として利用されるものであり、前記壁５を構成する柱状部５ａを介して壁５の幅方向左右側にそれぞれ第１開口部６ａと第２開口部６ｂとを有するようにして構成されている。
なお、図２に示すように、前記第１開口部６ａは、前記壁５の一側面５ｂの左側に配置されており、前記第２開口部６ｂは、前記壁５の一側面５ｂの右側に配置されている。すなわち、これら第１開口部６ａと第２開口部６ｂとは、正面視において左右に並設されている。
なお、本実施の形態の開口部６は、このように第１開口部６ａと第２開口部６ｂとを有するようにして構成されるものとしたが、これに限られるものではなく、１つの開口部で構成されるものとしてもよいし、３つ以上の開口部を有するようにして構成されるものとしてもよい。
【００２８】
また、図４に示すように、前記開口部６すなわち第１開口部６ａおよび第２開口部６ｂの内周面７のうち、前記壁５の他側面５ｃ側には、ガラス等の透光性部材８ａを有する建具８がそれぞれ設けられている。この建具８は、サッシ８ｂに透光性部材８ａを嵌め込んだ状態の、いわゆる嵌め殺し窓とされており、前記第１開口部６ａおよび第２開口部６ｂを常に閉塞するように構成されている。
また、前記第１開口部６ａおよび第２開口部６ｂの内周面７のうち、前記壁５の一側面５ｂ側には、内周面７をカバーする厚さの薄い第１枠材６ｃが取り付けられており、この第１枠材６ｃと前記建具８との間には、この第１枠材６ｃよりも厚さの厚い第２枠材６ｄが配置されて取り付けられている。
これら第１枠材６ｃおよび第２枠材６ｄは、図２に示すように、前記内周面７の天面７ａと底面７ｂと、開口部６の左右方向の両側端部に位置する両側面７ｃ，７ｃに沿って取り付けられており、正面視において矩形枠状に構成されている。
【００２９】
前記開口部６すなわち第１開口部６ａおよび第２開口部６ｂは、それぞれ、上端部が前記上段の棚板１１よりも上方に位置し、下端部が前記下段の棚板１２よりも下方に位置するように形成されている。すなわち、前記収納棚１０は、これら第１開口部６ａおよび第２開口部６ｂの上端部と下端部と間に収まるような高さに設定されていることになる。
【００３０】
前記開口部９は、図１および図２に示すように、前記洗面脱衣室１とバルコニー４とを行き来するための出入口として利用されるものである。また、この開口部９には、ガラス等の透光性部材９ａを有するドア９ｂが設けられている。
この開口部９は、前記開口部６とともに洗面脱衣室１への採光を確保できるように、前記開口部６の近傍に設けられている。
【００３１】
前記収納棚１０は、図１〜図４に示すように、前記開口部６内に配置されるとともに、この開口部６の内周面７のうち、前記壁５の一側面５ｂ側に固定されている。
また、この収納棚１０は、前記開口部６の内周面７の両側面７ｃ，７ｃ間に架設されるとともに、前記壁５の一側面５ｂよりも前方に突出する三枚の棚板１１，１２，１３と、これら棚板１１，１２，１３の突出方向側面に設けられるとともに、これら棚板１１，１２，１３の長さ方向に沿ってスライド可能な扉１６とを備えている。
なお、前記棚板１１は上段に配置されており、前記棚板１２は下段に配置されており、前記棚板１３は中段に配置されている。
【００３２】
また、前記棚板１１，１２，１３は、本実施の形態においては、前記第１開口部６ａの内周面７のうちの正面視左側に位置する側面７ｃと、前記第２開口部６ｂの内周面７のうちの正面視右側に位置する側面７ｃとの間に、前記壁５の柱状部５ａを介して架設されている。
さらに、図４に示すように、前記棚板１１，１２，１３の突出方向側面とは反対の側面から扉１６の前面までの長さのうち、少なくとも半分の長さに該当する部分が、前記開口部６の内周面７の両側面７ｃ，７ｃに固定されている。
【００３３】
前記上段の棚板１１は、図１および図２に示すように、前記第１開口部６ａの内周面７の両側面７ｃ，７ｃ間に架設される第１上段棚板１１ａと、この第１上段棚板１１ａの同一直線上に配置される側板１４（後述する）の側面から前記第２開口部６ｂの内周面７の正面視右側の側面７ｃの間に架設される第２上段棚板１１ｂとを有している。
また、この第２上段棚板１１ｂは、前記柱状部５ａおよび第１枠材６ｃの形状に合わせて切り欠き形成された切欠部１１ｃを具備している。
【００３４】
前記下段の棚板１２は、図１および図２に示すように、前記第１開口部６ａの内周面７の両側面７ｃ，７ｃ間に架設される第１下段棚板１２ａと、この第１下段棚板１２ａの同一直線上に配置される側板１４（後述する）の側面から前記第２開口部６ｂの内周面７の正面視右側の側面７ｃの間に架設される第２下段棚板１２ｂとを有している。
また、この第２下段棚板１２ｂは、前記柱状部５ａおよび第１枠材６ｃの形状に合わせて切り欠き形成された切欠部１２ｃを具備している。
【００３５】
前記中段の棚板１３は、図１および図２に示すように、前記第１開口部６ａの内周面７の両側面７ｃ，７ｃ間に架設される第１中段棚板１３ａと、この第１中段棚板１３ａの同一直線上に配置される側板１４（後述する）の側面から前記第２開口部６ｂの内周面７の正面視右側の側面７ｃの間に架設される第２中段棚板１３ｂとを有している。
また、この第２中段棚板１３ｂは、前記柱状部５ａおよび第１枠材６ｃの形状に合わせて切り欠き形成された切欠部１３ｃを具備している。
【００３６】
また、図１および図４に示すように、前記上段の棚板１１の上面と下段の棚板１２の下面の長さ方向に沿ってそれぞれレール材１７，１８が取り付けられている。
すなわち、前記上段の棚板１１の上面に取り付けられるレール材１７は長尺に形成されており、前記第１上段棚板１１ａおよび第２上段棚板１１ｂの上面に、これら第１上段棚板１１ａと第２上段棚板１１ｂとにわたって形成された溝に嵌め込まれるようにして設けられている。また、前記下段の棚板１２の下面に取り付けられるレール材１８も長尺に形成されており、前記第１下段棚板１２ａおよび第２下段棚板１２ｂの下面に、これら第１下段棚板１２ａと第２下段棚板１２ｂとにわたって形成された溝に嵌め込まれるようにして設けられている。
【００３７】
さらに、本実施の形態の収納棚１０は、前記上段の棚板１１と下段の棚板１２との間に設けられる二枚の側板１４，１４と、これら上段の棚板１１と下段の棚板１２と二枚の側板１４，１４の前記扉１６側とは反対側の端部に設けられる背板１５とを備えている。
より詳細には、前記二枚の側板１４，１４は、図２に示すように、前記第１上段棚板１１ａの両端部と、前記第１下段棚板１２ａの両端部と、前記第１中段棚板１３ａとの間に架設されるようにしてそれぞれ設けられている。
また、前記背板１５は、前記第１上段棚板１１ａと、第１下段棚板１２ａと、第１中段棚板１３ａと、前記二枚の側板１４，１４の前記扉１６とは反対側の端面に固定されている。なお、このような固定方法に限られるものではなく、前記扉１６とは反対側の端部に溝を形成し、この溝に外周縁部を差し込むようにして固定してもよい。
そして、このように収納棚１０は、前記二枚の側板１４，１４と背板１５とを備えているので、これら二枚の側板１４，１４と背板１５と前記上段の棚板１１と下段の棚板１２とによって、前記棚板１１，１２の突出方向側に開口するボックス状の収納スペースを形成することができる。
【００３８】
前記扉１６は、図４に示すように、前面周縁部に枠状部を有する扉本体１６ｂを備えており、この扉本体１６ｂの前面に、枠状部内に収まるようにして鏡１６ａが配置されて固定されている。
なお、本実施の形態の鏡１６ａは通常の鏡が使用されているが、これに限られるものではなく、ハーフミラーを使用してもよい。ハーフミラーを使用する場合は、前記扉本体１６ｂに、この扉本体１６ｂの厚さ方向に貫通する開口部を形成したり、この扉本体１６ｂを使用せずに、ハーフミラーの鏡１６ａ自体を扉本体として使用したり、前記第１上段棚板１１ａおよび第１下段棚板１２ａの前記扉１６とは反対側の端面に固定され背板１５によって、光がハーフミラーである鏡１６ａを透過することを妨げないようにする。
【００３９】
また、この扉１６は、この扉１６の裏面に取り付けられるとともに前記上段の棚板１１のレール材１７に係合する上段係合部材１９と、前記下段の棚板１２のレール材１８に係合する下段係合部材２０とを備えている。
前記上段係合部材１９は、前記レール材１７に挿入される部分と、前記扉１６の裏面に取り付けられる部分と、これら双方の部分を接続する部分とからなり、フック状に形成されている。また、前記レール材１７に挿入される部分には、図示しないローラーが取り付けられており、前記扉１６を円滑にスライドできるようになっている。
前記下段係合部材２０は、前記レール材１８に挿入される部分と、前記扉１６の裏面に取り付けられる部分と、これら双方の部分を接続する部分とからなり、フック状に形成されている。
また、これら上段係合部材１９および下段係合部材２０は、前記扉１６の幅方向両側部の二か所にそれぞれ設けられている。
さらに、前記レール材１７，１８には、前記上段係合部材１９および下段係合部材２０のスライドをストップするストッパーが設けられており、これによって、前記扉１６の幅方向両端部が、前記棚板１１，１２，１３の両端部よりも外側に突出するのを防ぐことができる。
【００４０】
次に、以上のような収納棚１０と、この収納棚１０が設けられる壁構造の構成による採光の態様について説明する。
まず第１に、前記上段の棚板１１と、下段の棚板１２と、中段の棚板１３とは、図１および図２に示すように、それぞれ離間配置されているので、これら棚板１１，１２，１３間から採光できるようになっている。
なお、前記上段の棚板１１の前記扉１６側とは反対側の端部と、前記下段の棚板１２の前記扉１６側とは反対側の端部と間に背板１５を設けた場合は、この背板１５が設けられた部分によって採光できない状態となる。
【００４１】
第２に、前記開口部６は、図１および図４に示すように、上端部が前記上段の棚板１１よりも上方に位置し、下端部が前記下段の棚板１２よりも下方に位置するように形成されているので、前記上段の棚板１１の上方と、前記下段の棚板１２の下方から採光を確保できるようになっている。
【００４２】
第３に、前記壁５には、図２および図３に示すようにこの壁５の厚さ方向に貫通して開口部９が形成されており、この開口部９は、前記開口部６の近傍に配置されている。また、この開口部９は、人の出入りに利用されるものであるから、高さ寸法が大きく設定されているので多く採光できるようになっている。
【００４３】
第４に、前記棚板１１，１２には、図１および図４に示すように、これら棚板１１，１２の長さ方向に沿ってスライド可能な扉１６が取り付けられているので、例えば前記洗面脱衣室１への太陽光の入射角や方角を考慮して前記扉１６をスライドさせて移動させることによって、採光をコントロールすることができるようになっている。
なお、このように扉１６を移動させて採光をコントロールする際は、この扉１６を採光の邪魔にならない場所に移動させることによって採光を多くするだけでなく、この扉１６を採光の邪魔になる場所に移動させて採光を少なくすることもできる。
【００４４】
第５に、前記鏡１６ａとしてハーフミラーが用いられることによって、収納棚１０および開口部６が設けられる洗面脱衣室１よりも屋外の方が明るい場合に、屋外からの入射光を室内に採光できるので、扉１６に遮られずに採光できるようになっている。
本実施の形態においては、以上のように複数の態様で採光を行うことができるようになっている。
【００４５】
（他の実施例）
なお、本実施の形態において、前記上段の棚板１１の前記扉１６側とは反対側の端部と、前記下段の棚板１２の前記扉１６側とは反対側の端部と間に背板１５を設けた場合は、この背板１５が設けられた部分によって採光できない状態となるが、このような場合は、図１および図５に示すように、前記背板１５を、前記上段の棚板１１の上面と下段の棚板１２の下面の長さ方向に沿ってそれぞれ取り付けられたレール材２１，２２に沿って、スライド可能に設けるようにする。
これによって、この背板１５をスライドさせることによって、屋外からの採光をコントロールできるので、背板１５を採光の邪魔にならない場所に移動させることによって採光を多くしたり、背板１５を採光の邪魔になる場所に移動させて採光を少なくしたりすることができ、収納棚１０および開口部６が設けられる洗面脱衣室１の採光性の低下を極力防ぐことができる。
【００４６】
また、このように前記背板１５を、前記上段の棚板１１の前記扉１６側とは反対側の端部と、前記下段の棚板１２の前記扉１６側とは反対側の端部と間にスライド可能に設ける際は、前記開口部６に設けられる建具として、図５に示すように、この開口部６を開閉できる建具２３を用いることが好ましい。
図５に示す建具２３としては、２枚のガラス窓を互いに引き違い可能にスライドさせることが可能な引き違い窓が用いられている。
すなわち、このように建具２３によって前記開口部６を開閉できれば、通風をコントロールすることができるので、収納棚１０および開口部６が設けられる洗面脱衣室１の通風性を向上できることとなる。
なお、このような引き違い窓２３は、嵌め殺し窓に比して厚さが厚いので、上述の第２枠材６ｄを省略したスペースを利用して設けられている。
【００４７】
本実施の形態によれば、前記三枚の棚板１１，１２，１３と、前記棚板１１，１２，１３の長さ方向に沿ってスライド可能な扉１６とを備える収納棚１０を、前記開口部６内に配置固定することによって、この収納棚１０と開口部６とを壁５の同じ場所に設けることができるので、これら収納棚１０および開口部６が設けられる洗面脱衣室１を有効利用できる。また、前記三枚の棚板１１，１２間から採光を確保できるとともに、前記扉１６をスライドさせることによって採光をコントロールできる。これによって、収納棚１０および開口部６が設けられる洗面脱衣室１の採光性の低下を極力防ぐことができる。
【００４８】
また、前記扉１６の前面に鏡１６ａが配置されているので、収納棚１０を化粧台として利用できる。このように化粧台として利用した場合に、前記三枚の棚板１１，１２，１３間からの採光によって化粧台の前に立つ人を照らすことができる。
【００４９】
また、前記鏡１６ａをハーフミラーとし、収納棚１０および開口部６が設けられる洗面脱衣室１よりも屋外の方が明るい場合に、屋外からの入射光を洗面脱衣室１に採光できるとともに、収納棚１０および開口部６が設けられる洗面脱衣室１よりも屋外の方が暗い場合に、鏡として利用することができる。これによって、扉１６に遮られずに採光できるので、洗面脱衣室１の採光性の低下を極力防ぐことができる。
【００５０】
また、前記扉１６は、この扉１６の裏面に取り付けられるとともに前記上段の棚板１１のレール材１７に係合する上段係合部材１９と、前記下段の棚板１２のレール材１８に係合する下段係合部材２０とを備えているので、前記上段係合部材１９を前記レール材１７に係合させるとともに、前記下段係合部材２０を前記レール材１８に係合させることによって、前記扉１６を、前記上下二枚の棚板１１，１２に対して確実に取り付けることができるとともに、前記レール材１７，１８に沿って確実にスライドさせることができる。これによって、前記扉１６よって採光をコントロールできるので、洗面脱衣室１の採光性の低下を極力防ぐことができる。
【００５１】
また、前記上段の棚板１１と下段の棚板１２との間に設けられる少なくとも二枚の側板１４，１４と、これら上段の棚板１１と下段の棚板１２と中段の棚板１３と二枚の側板１４，１４の前記扉１６側とは反対側の端部に設けられる背板１５とを備えているので、これら上段の棚板１１と下段の棚板１２と中段の棚板１３と二枚の側板１４，１４と背板１５とによって、前記棚板１１，１２の突出方向側に開口するボックス状の収納スペースを形成することができる。これによって、このボックス状の収納スペースに収納した物品が、棚板１１，１２，１３の前記扉１６側端部以外から落下することを確実に防ぐことができるとともに、収納棚１０の外観に変化を持たせたり、前記棚板１１，１２，１３への物品の収納の仕方にバリエーションを持たせたりすることができる。
【００５２】
また、前記三枚の棚板１１，１２，１３の突出方向側面とは反対の側面から扉１６の前面までの長さのうち、少なくとも半分の長さに該当する部分が、前記開口部６の内周面７の両側面７ｃ，７ｃに固定されているので、前記三枚の棚板１１，１２，１３を前記開口部６の内周面７に確実かつ強固に固定することができる。
【００５３】
また、前記開口部６は、上端部が前記上段の棚板１１よりも上方に位置し、下端部が前記下段の棚板１２よりも下方に位置するように形成されているので、前記上段の棚板１１の上方と、前記下段の棚板１２の下方から採光を確保することができる。これによって、洗面脱衣室１の採光性の低下を極力防ぐことができる。
【００５４】
また、前記開口部６の内周面７のうち、前記壁５の一側面５ｂ側に前記収納棚１０が固定されており、前記壁５の他側面５ｃ側に、透光性部材８ａを有する建具８が設けられているので、この透光性部材８ａを有する建具８を介して採光を確保できるだけでなく、この透光性部材８ａを有する建具８によって通風を遮ったり、通風をコントロールしたりすることができる。これによって、洗面脱衣室１の採光性の低下を極力防ぐことができるとともに、通風性を向上させることができる。
【符号の説明】
【００５５】
５  壁
６  開口部
７  内周面
７ｃ  側面
１０  収納棚
１１  棚板
１２  棚板
１６  扉
【図１】
0005629116.tif 000002
【図２】
0005629116.tif 000003
【図３】
0005629116.tif 000004
【図４】
0005629116.tif 000005
【図５】
0005629116.tif 000006